(57)【要約】液晶ディスプレイに要求される小型で高輝度を促進する蛍光ランプシステムが提供される。蛍光ランプシステムは、複数面内に配置された複数本の交互配列脚を有するランプを備えている。交互配列脚を複数面内に配置することによって、蛍光ランプシステムは利用可能空間を効率的に満たし、蛍光ランプ表面積を全体的に最大にし、特に、比較的小全体寸法を維持しつつ、ディスプレイに向けられたランプ表面積を最大にする。したがって、蛍光ランプシステムは、小型でディスプレイに必要な高輝度を与えることができる。
2007511868.tif 000002
【特許請求の範囲】
【請求項１】
複数の湾曲部によって接続された複数本の交互配列脚にして、複数面内に配置された複数本の交互配列脚を備えた蛍光ランプ。
【請求項２】
管状の蛍光ランプを備えた、請求項１に記載の蛍光ランプ。
【請求項３】
前記複数本の交互配列脚が互いに実質的に平行になっている、請求項１に記載の蛍光ランプ。
【請求項４】
前記複数本の交互配列脚が螺旋状に配置されている、請求項１に記載の蛍光ランプ。
【請求項５】
前記複数本の交互配列脚は、繰り返し連続する脚が複数面間で交互に並ぶようにして配置されている、請求項１に記載の蛍光ランプ。
【請求項６】
前記複数本の脚は、第１面内に少なくとも３本の互いに隣接する脚と、第２面内に少なくとも３本の互いに隣接する脚と、前記第１面内の脚と前記第２面内の脚との間にある湾曲部とを備えている、請求項１に記載の蛍光ランプ。
【請求項７】
前記複数面は、第１湾曲面と第２湾曲面とを備えている、請求項１に記載の蛍光ランプ。
【請求項８】
前記複数本の脚の各々は孔を含む、請求項１に記載の蛍光ランプ。
【請求項９】
蛍光ランプがディスプレイに対向する第１側を有し、前記複数本の脚が交互配列とされて前記第１側に連続ランプ表面を与える、請求項１に記載の蛍光ランプ。
【請求項１０】
前記複数本の脚の少なくとも１本が長円横断面形状をしている、請求項１に記載の蛍光ランプ。
【請求項１１】
前記複数本の脚の少なくとも１本がスカラップ横断面形状をしている、請求項１に記載の蛍光ランプ。
【請求項１２】
前記複数本の脚の少なくとも１本が脚の長手方向に沿って変化する横断面直径を有している、請求項１に記載の蛍光ランプ。
【請求項１３】
前記複数本の脚の少なくとも１本が複数の波形状を有している、請求項１に記載の蛍光ランプ。
【請求項１４】
前記複数本の脚の少なくとも２本が複数の波形状を有し、少なくとも２本の脚の波形状が互いに噛み合うように形成されている、請求項１に記載の蛍光ランプ。
【請求項１５】
複数本の脚および複数の湾曲部を備え、前記複数の湾曲部の各々が、前記複数本の脚の１対の間に配置され、前記複数本の脚のうち少なくとも３本の繰り返し連続する脚が第１面内に存在し、かつ、前記複数本の脚のうち少なくとも３本の繰り返し連続する脚が第２面内に存在するように、前記複数本の脚および前記複数の湾曲部が配置された、管状蛍光ランプ。
【請求項１６】
前記複数本の脚は互いに実質的に平行になっている、請求項１５に記載の管状蛍光ランプ。
【請求項１７】
前記ランプが第１側を含み、前記複数本の脚が前記第１側に連続ランプ表面を与えるように互いに離間されている、請求項１５に記載の管状蛍光ランプ。
【請求項１８】
前記ランプが第１側を含み、前記複数本の脚の各々が前記第１側に対向する孔を含む、請求項１５に記載の管状蛍光ランプ。
【請求項１９】
前記第１面が前記第２面に対して実質的に平行になっている、請求項１５に記載の管状蛍光ランプ。
【請求項２０】
前記第１面内の前記複数本の脚が前記第２面内の前記複数本の脚と交互配列になっている、請求項１５に記載の管状蛍光ランプ。
【請求項２１】
前記第１面内の前記複数本の脚が前記第２面内の前記複数本の脚と交互配列となっている、請求項１５に記載の管状蛍光ランプ。
【請求項２２】
前記管状蛍光ランプの第１端における第１陰極と、前記管状蛍光ランプの第２端における第２陰極とをさらに備えた、請求項１５に記載の管状蛍光ランプ。
【請求項２３】
複数本の脚および複数の湾曲部を備え、前記複数の湾曲部の各々が、前記複数本の脚の１対の間に配置され、前記複数本の脚のうち繰り返し連続する脚が第１面と第２面との間で交互に並ぶように、前記複数本の脚および前記複数の湾曲部が配置された、管状蛍光ランプ。
【請求項２４】
前記複数本の脚が互いに実質的に平行になっている、請求項２３に記載の管状蛍光ランプ。
【請求項２５】
前記ランプが第１側を含み、前記複数本の脚が前記第１側に連続ランプ表面を与えるように互いに離間されている、請求項２３に記載の管状蛍光ランプ。
【請求項２６】
前記ランプが第１側を含み、前記複数本の脚の各々が前記第１側に対向する孔を含む、請求項２３に記載の管状蛍光ランプ。
【請求項２７】
前記第１面が第２面に対して実質的に平行になっている、請求項２３に記載の管状蛍光ランプ。
【請求項２８】
ランプが直径を有する管を備え、前記複数本の脚のうち交互に繰り返し連続する脚が前記管の直径に実質的に等しい距離で離間されている、請求項２３に記載の管状蛍光ランプ。
【請求項２９】
ランプの第１端における第１陰極と、ランプの第２端における第２陰極とをさらに備えた、請求項２３に記載の管状蛍光ランプ。
【請求項３０】
前記複数本の脚のうち交互に繰り返し連続する脚が互いに最も近くに隣接している、請求項２３に記載の管状蛍光ランプ。
【請求項３１】
複数本の脚および複数の湾曲部を備え、前記複数の湾曲部の各々が、前記複数本の脚の１対の間に配置され、複数本の脚のうち少なくとも３本の繰り返し連続する脚が第１湾曲面内に存在し、かつ、複数本の脚のうち少なくとも３本の繰り返し連続する脚が第２湾曲面内に存在ように、前記複数本の脚および前記複数の湾曲部が配置された、管状蛍光ランプ。
【請求項３２】
前記複数本の脚は互いに実質的に平行になっている、請求項３１に記載の管状蛍光ランプ。
【請求項３３】
ランプが第１側を含み、前記複数本の脚が前記第１側で連続ランプ表面を与えるように離間されている、請求項３１に記載の管状蛍光ランプ。
【請求項３４】
前記ランプが第１側を含み、前記複数本の脚の各々が前記第１側に対向する孔を含む、請求項３１に記載の管状蛍光ランプ。
【請求項３５】
前記第１湾曲面が前記第２湾曲面に対して実質的に平行になっている、請求項３１に記載の管状蛍光ランプ。
【請求項３６】
前記第１湾曲面内の前記複数本の脚が前記第２湾曲面内の前記複数本の脚と交互配列にされている、請求項３１に記載の管状蛍光ランプ。
【請求項３７】
ランプの第１端における第１陰極と、ランプの第２端における第２陰極とをさらに備えた、請求項３１に記載の管状蛍光ランプ。
【請求項３８】
複数本の脚および複数の湾曲部を備え、該複数本の脚および複数の湾曲部が三次元蛇行コイルを形成するように整形されている、管状蛍光ランプ。
【発明の詳細な説明】
【技術分野】
【０００１】
本出願は、２００３年１０月１０日に出願された米国仮出願第６０／５１０，４６３号の利益を請求する。
本発明は、一般に蛍光ランプシステムに関し、さらに詳しくはバックライトディスプレイ用蛍光ランプシステムに関する。
【背景技術】
【０００２】
様々な形式の光学ディスプレイが、広く多様な用途において一般に用いられている。これら多種のディスプレイのうちには、液晶ディスプレイ（ＬＣＤ）が含まれる。ＬＣＤは、典型的には直視ディスプレイまたは投射ディスプレイである。直視アプローチにおいては、イメージがつくられ、視界側と反対の光源によってＬＣＤに直接に現れる。投射アプローチにおいては、ＬＣＤイメージは光学レンズ装置を介してスクリーンに投射される。リアプロジェクションＴＶの場合には、イメージは拡散スクリーンに投射される。ヘッドアップ・ディスプレイ（ＨＵＤ）の場合には、イメージが特別の反射スクリーンに投射される。
【０００３】
一般に投射ディスプレイ、特にＨＵＤにおける１つの重要な性能パラメータは、投射ディスプレイによって与えられる輝度の範囲である。多くの用途においては、ディスプレイが広く多様な周囲光線状態において情報を明瞭に可視化することが重要である。例えば、航空電子工学システムに用いられるディスプレイは、ほぼ全体的な黒い状態から、日中の太陽光線に直接対向することによってつくられる極端な眩しさまでを範囲とする光線条件の下で、パイロットに情報を表示する必要がある。したがって、航空電子工学装置に用いられるディスプレイは、高輝度イメージを与えるべき能力を有していなければならない。十分な高輝度なしでは、ディスプレイの視覚者は高い周囲光線状態ではディスプレイから情報を容易に読み取ることができないこともある。ＨＵＤ式ディスプレイに対する追加の課題は、透過スクリーンに部分的に反射されただけのイメージである。この部分的反射は、投射イメージの１５％だけであり、したがって、ディスプレイ・バックライトに高輝度要求を負わせる。
【０００４】
投射ディスプレイにおいて高輝度を達成するために、従来のシステムは、高圧アークランプ等の高エネルギ・ランプに依存していた。高圧アークランプは高輝度を与えるが、著しい熱を発生する。この熱は構成部品から放散されなければならない。さもないと、それが信頼できる動作を妨害することもある。この熱を放散するためには、ヒートシンク、または、重大な構成部品から離れた別の熱伝達路を与えるための大きな領域が要求されることもある。さらに、高圧アークランプは、シール破壊が起きたときに爆発の可能性が増大し、また、広範囲にわたる減光を困難にする。したがって、高圧アークランプは、ディスプレイのサイズが限られている場合や、信頼性および安全性が第一である場合には、好ましくない。
【発明の開示】
【発明が解決しようとする課題】
【０００５】
したがって、ＬＣＤディスプレイに使用するために小型で高い輝度出力を与えることができる改良されたランプシステムを提供することが望ましい。さらに、本発明のその他の望ましい特徴は、添付図面および上述の技術分野および背景と関連して、下記の詳細な説明および添付特許請求の範囲から明らかになるであろう。
【課題を解決するための手段】
【０００６】
本発明は、ヘッドアップ・ディスプレイ等のディスプレイシステムに要求される小型で高輝度を促進する蛍光ランプシステムを提供する。蛍光ランプシステムは、複数面内に配置された複数本の交互配列脚を有するランプを備えている。交互配列脚を複数面内に配置することによって、蛍光ランプシステムは利用可能空間を効率的に満たし、全体としてランプ表面積を最大にし、特に、ディスプレイに向けられたランプ表面積を最大にする。ただし、全体の寸法は比較的小さく維持されたままである。本発明の蛍光ランプシステムは、小型で、且つ、ヘッドアップ・ディスプレイに必要な高輝度を与えることができる。
【０００７】
一実施例においては、蛍光ランプシステムは螺旋または傾斜蛇行構造をしている。螺旋ランプ構造においては、繰り返し連続する脚が複数面間で交互に並ぶ。これは、繰り返し連続する脚を、ディスプレイに向けられたランプ領域に隣接させ、且つ、これを満たし、これによりディスプレイに与えられたランプ表面積を最大にする。
【０００８】
別の実施例においては、蛍光ランプシステムは折り畳まれたランプ構造をしている。折り畳まれたランプ構造においては、互いに隣接する脚が同一面内にあり、一方の面から他方の面への遷移が少なくとも１組の脚間でなされる。この実施例においては、脚が別の面内の脚と交互配列となるようにされ、これまたディスプレイに向けられたランプ領域を満たす。
【０００９】
別の実施例においては、蛍光ランプシステムは、複数の湾曲面に配置された複数の交互配列とされた脚を有するランプを備えている。
他の実施例においては、１またはそれを超えるランプ脚に孔が形成されていて、ディスプレイに向けられた光線を増加するようにされている。
【発明を実施するための最良の形態】
【００１０】
本発明の好適実施例は、添付図面と関連されて以下に記載される。図中、同様な要素は同様な表示で示されている。
本発明は、ヘッドアップ・ディスプレイ等の投射ディスプレイシステムに要求される小型で輝度を高くされた蛍光ランプシステムを提供する。いくつかの用途に要求される、高輝度を発生すべき蛍光光線に対して、その表面積領域（および結果として蛍光物質被覆領域）が所定の容積に対して最大にされるべきである。寿命を最大にし、費用、重量、電気駆動による複雑さなどを最少にするために、ディスプレイを照明すべき単独のランプを使用することが一般に望ましい。本発明の実施例は、単独のランプを使用する単純性を維持しつつ、小さい容積で高輝度を与えるように用いられうるランプ構造および断面を与える。
【００１１】
蛍光ランプシステムは、複数面内に配置された複数本の交互配列脚を有するランプを備える。交互配列脚を複数面内に配置することによって、蛍光ランプシステムは利用可能空間を効率的に満たし、ランプ表面積を全体的に最大にし、特に、全体寸法を比較的小さく維持しつつ、ディスプレイに向けられたランプ表面積を最大にする。したがって、蛍光ランプシステムは、ＨＵＤおよび小型のその他のディスプレイに要求される高輝度を与えることができる。
【００１２】
一実施例においては、蛍光ランプシステムは螺旋または傾斜蛇行形状をしている。螺旋ランプ形状においては、繰り返し連続する脚が複数の面間で交互に並ぶ。これにより、繰り返し連続する脚は互いに隣接し且つディスプレイに向けられたランプ領域を満たし、それによってディスプレイに与えられたランプ表面積を最大にする。
【００１３】
別の実施例においては、蛍光ランプシステムは折り畳まれたランプ形状をしている。折り畳まれたランプ形状においては、互いに隣接する脚が同一面内にあり、一方の面から他方の面への遷移が少なくとも１組の脚間でなされる。この実施例においては、脚が別の面内の脚と交互配列とされ、ディスプレイに向けられたランプ領域を再び満たす。別の実施例においては、蛍光ランプシステムは、複数の湾曲面に配置された複数本の交互配列脚を有するランプを備えている。他の実施例においては、１またはそれを超えるランプ脚が孔を形成されて、ディスプレイに向けられた光線を増加するようになされている。
【００１４】
図１、２、３、４を参照すれば、第１実施例の蛍光ランプ１００の斜視図、正面図、側面図、底面図が示される。この実施例においては、蛍光ランプ１００は、複数本の脚１０２および複数の湾曲部１０４を備えている。複数本の脚１０２は、第１組の脚が第１面内に存在し且つ第２組の脚が第２面内に存在するように、配置される。この実施例においては、繰り返し連続する６本の脚からなる第１組が第１面内にあり、繰り返し連続する５本の脚からなる第２組が第２面内にあり、第１面は第２面に対して実質的に平行になっている。
【００１５】
図２に示す正面図からわかるように、第１面内にある複数本の脚は第２面内にある複数本の脚と交互配列とされる。その結果、ランプ構造はランプの正面に対向する連続ランプ表面を与える。この増加されたランプ表面積は、比較的小型サイズのランプにあって増加された輝度を与える。図４に示すように、１つの湾曲部１０６は、第１面内の脚と第２面内の脚との間の遷移部として働く。他の実施例として、２よりも多いランプ面を含むことができる。通常は管状ランプの端に置かれる陰極が、これらの図面には示されていない。
【００１６】
この実施例における別の変更例においては、蛍光ランプ１００は孔付きランプとして形成されてもよい。一般に、孔付きランプは、放射光線を狭い角度範囲に集中指向させる内部スリット孔を有する一形式の蛍光ランプである。一例として、１またはそれを超える脚１０２および湾曲部１０４には、ランプの正面側に孔を設けられていて、所望の方向に、典型的にはディスプレイのイメージ源に向かって光線を向けることができる。
【００１７】
孔付きランプは、典型的な蛍光ランプと同様な基本構造を用いて形成されうる。典型的な蛍光ランプにおいては、ランプは全内面に蛍光物質被覆を有する中空ガラス管を備えている。孔付きランプを形成するために、蛍光物質被覆は、孔付きランプの「孔」を形成する１つの狭い領域では省略される。この種のランプについては、管の中心が、管の端にある電極によって供給される電流によって励起されたときに紫外線を放射する気体混合物で満たされる。紫外線は蛍光物質被覆に衝突し、可視光線に変換される。典型的な蛍光物質被覆は拡散反射体として作用するので、入射光線の大部分はランプ内で後方に散乱されるが、反射されない光線の多くは蛍光物質被覆を透過して伝達される。蛍光物質被覆の孔は、光線の出口点をつくり、したがって、孔が光線を孔から外に優先的に向けられるようにする。
【００１８】
この種の孔付きランプの一つの限界は、蛍光物質被覆の比較的低い反射および高い吸収によるところがある。概して、蛍光物質被覆は比較的薄く、貧弱な反射性能（例えば、６０％から８０％の間）を有する。その結果、孔以外の領域においてランプから逃げる光線の大きな部分を生じる。蛍光物質被覆を通る光線の望ましくない伝達は、孔付きランプの有効性を著しく低減する。
【００１９】
孔付きランプの有効性を改善するために、いくつかの具体化例によれば、ランプの内側に追加の反射被覆を加える。これらの実施例においては、反射被覆は、典型的には、蛍光物質が孔を形成するために省略される狭い領域を除くすべての領域において、ガラス管の内面に加えられる。反射被覆の付加が、孔を通ってランプを出る光線の量を増加することによって、またその他の領域から出る光線の量を減少することによって、このランプの有効性を改善する。この改善は、増加された製造困難性の費用およびその結果起こる費用の増加を一般に招く。
【００２０】
図５を参照すれば、第１例の孔付きランプ１５０および第２例のランプ２００の横断面が示される。孔付きランプ１５０および２００は、孔２２４を形成する第１の狭い領域を除く全内面に蛍光物質被覆２２２を有する中空ガラス管２２０を含む。各中空ガラス管は、通常は気体混合体で満たされる。その気体混合体は、管の端において電極（図示せず）を含む陰極によって供給される電流によって励起されたとき、紫外線を放射する。紫外線は蛍光物質被覆に衝突し、可視光線に変換される。
【００２１】
上述したように、いくつかのランプシステムはランプの有効性を改善するためにランプ内面に反射被覆を加えている。これらの実施例においては、反射被覆は、典型的には、蛍光物質が孔を形成するために省略された狭い領域を除くすべての領域において、ガラス管の内面に加えられる。孔付きランプ２００は、中空ガラス管２２０と蛍光物質被覆２２２との間に加えられた反射被覆２３２を含む。この反射被覆２３２は、孔２２４を形成する第１の狭い領域を除くガラス管２２０の内面を覆うように形成される。反射被覆２３２の追加は、出口孔２２４を通りランプから出る光線の量を増加しかつ他の領域からランプを出る光線の量を減少することによって、ランプ２００の有効性を改善する。
【００２２】
図６、７、８、９を参照すれば、第２実施例の蛍光ランプ３００の斜視図、正面図、側面図、底面図が示される。この実施例においては、蛍光ランプ３００は、複数本の脚１０２および複数の湾曲部１０４を備えている。複数本の脚１０２は、複数本の脚における繰り返し連続する脚が第１面と第２面との間で交互に並ぶように、配置される。第１面は第２面に対して実質的に平行になっている。さらに、複数本の脚１０２は互いに実質的に平行に配置される。
【００２３】
図７に示す正面図からわかるように、複数本の脚が互いに離間されてランプの正面に対向する連続ランプ表面を与える。この増加された表面積は、比較的小さなサイズのランプに増大された輝度を与えることができる。これは、管の直径に実質的に等しい距離だけ離れて繰り返し連続する脚を交互に並べて離間させることによって、達成されうる。これらの図面には、管状ランプの端に通常は置かれた陰極が図示されていない。第１実施例と同様に、この実施例は、孔付きランプとして実施されうる。
【００２４】
図１０、１１、１２、１３を参照すれば、第３実施例の蛍光ランプ４００の斜視図、正面図、側面図、底面図が示される。この実施例においては、蛍光ランプ４００は、複数本の脚１０２および複数の湾曲部１０４を備えている。第２実施例と同様に、複数本の脚１０２は、複数本の脚のうち繰り返し連続する脚が第１面と第２面との間で交互に並ぶように、配置される。第１面は第２面に対して実質的に平行になっている。さらに、複数本の脚１０２は互いに実質的に平行に配置される。この実施例は、交互に並び、繰り返し連続する脚が離間されると言うよりはむしろ次々と互いに隣接している点で第２実施例と異なる。その結果、さらに多くのランプ容積が同じ量の全容積において与えられる。これは、ランプの輝度および信頼性を改善する。再び、これらの図面には、管状ランプの端に通常は置かれた陰極が図示されていない。他の実施例と同様に、この実施例は、孔付きランプと共に実施されうる。
【００２５】
図１４、１５、１６、１７を参照すれば、第４実施例の蛍光ランプ５００の斜視図、正面図、側面図、底面図が示される。この実施例においては、蛍光ランプ５００は、複数本の脚１０２および複数の湾曲部１０４を備えている。複数本の脚１０２は、第１組の脚が第１湾曲面内に存在しかつ第２組の脚が第２湾曲面内に存在するように、配置される。この実施例においては、繰り返し連続する６本の脚の第１組が第１湾曲面内にあり、繰り返し連続する５本の脚の第２組が第２湾曲面内にあり、第１湾曲面は第２湾曲面に対して実質的に平行になっている。
【００２６】
図１５に示す正面図からわかるように、第１湾曲面内にある複数本の脚は第２湾曲面面内にある複数本の脚と交互配列とされる。その結果、ランプ構造はランプの正面に対向する連続ランプ表面を与える。この増加されたランプ表面積は、比較的小型サイズのランプにおいて増加された輝度を与える。１つの湾曲部は、第１湾曲面内の脚と第２湾曲面内の脚との間の遷移部として働く。この実施例のランプは、特別な形状の空所を満たすように湾曲され、したがってその形状の空所に嵌合できるランプの表面積を増加する。通常は管状ランプの端に置かれる陰極がこれらの図面には示されていない。この実施例は、他の実施例と同様に、孔付きランプと共に実施されうる。図１−１３に示す実施例は、ランプの脚の湾曲面と共に実施されうることに注目されたい。
【００２７】
図１８、１９、２０を参照すれば、第５実施例の蛍光ランプ６００の正面図および２つの側面図が示される。この実施例においては、蛍光ランプ６００は、三次元蛇行コイル状に配置される。この実施例は、他の実施例と同様にランプを緊密に巻き付けて比較的小さい容積に大きいコイル面積を与える。蛇行コイルの形状は、つくるのに困難であるランプの鋭い曲げを要求せずに管を緊密に離間させる。他の実施例と同様に、蛇行コイルは複数の湾曲部によって接続された複数本の脚を備えている。脚および湾曲部は、ランプで容積を満たす蛇行コイルを形成するように配置される。再び、ランプは、慣用の形状の空所を良好に満たすように、この実施例では湾曲されうる。
【００２８】
上記５つの実施例は、本発明が実施されうる実施例を限定したものではないことに注目されたい。さらに上述の実施例は、多くの異なる変更を伴って実施されうる。
第１例として、ランプの脚および湾曲部は、多くの異なる形状に形成されうる。一般に、ランプ出力を増加させかつランプの寿命を改善するように、利用可能容積をランプ表面で満たすことが望ましい。ランプの形状を変えることによって、ランプ表面積は所定の容積に対して増加されうる。一例として、ランプはランプ表面積を増加するように設計された種々の異なる断面形状を伴って形成される。
【００２９】
使用されうる異なる断面形状の例は、長円および類似の形状を含む。図２１を参照すれば、長円ランプ部７００の横断面図が示される。ランプの１またはそれを超える部分に対して長円形状の横断面を使用することは、所望の容積内でランプ表面積の増加を促進する。一般に、ランプの形状は、長円横断面がディスプレイに対向する領域を満たすように形成される。これは、ディスプレイに向けられたランプからの光線出力百分率を増加し、機器の効率を増加する。
【００３０】
さらに、ランプ部分は、熱放散のための良好な表面を与えるように長円形横断面に形成されうる。特に、長円形ランプ部分の長軸がヒートシンクに隣接するように長円形ランプ部分の長軸に向けることによって、ヒートシンクによって吸収される熱の百分率が改善されうる。これは当然にランプの熱許容範囲を改善し、したがってランプの信頼性を改善する。
【００３１】
ランプ部分に用いられる異なる横断面の別の例は、スカラップ形状である。図２２を参照すれば、スカラップ・ランプ部分７０２の横断面図が示される。スカラップ・ランプ部分７０２は、複数の突起を含み、各突起はランプ部分に表面積を追加する。スカラップ・ランプ横断面は、同じ全容積内で増大されたランプ表面積を許す。したがって、この実施例はランプの出力を増加することができる。再び、これらは、正に本発明の実施例に用いられうる横断面変更形式の例であることに注目されたい。
【００３２】
さらなる変更例において、ランプの横断面は、ランプの長さ方向にそって変わることができる。図２３を参照すれば、ランプ直径がランプの長さ方向にそって変わるランプ部分７０４が示されている。特に、ランプ部分７０４は、２本の互いに隣接する脚７０６および７０８の一部分を示す。各脚はその直径を変化させ、これらの変化がランプの表面積を増加させる。図２３に示すように、ランプ直径の変化は、利用可能容積をランプでより完全に満たすように、互いに隣接する脚のランプ直径の変化に噛み合うように形成されうる。
【００３３】
各脚部分の横断面を変化させることに加えて、脚部分の形状がランプ表面積を増加させる他の仕方で変化されてもよい。例えば、脚は、ランプに追加の表面積を加える様々な波形状を伴って形成されてもよい。これらの波形状は、用途の要請に基づいてランプの１以上の脚に加えられてもよい。さらに、これらの波形状は、利用可能ランプ領域をより十分に満たすように、互いに隣接する脚を噛み合わせるように形成されてもよい。
【００３４】
図２４を参照すれば、蛍光ランプ部分８００の底面図が示され、脚８０４が追加のランプ表面積を与えるように波打たれ、互いに隣接する脚に噛み合わされる。これらの波形状は、収納されるべきランプ脚に高低領域を許し、再びより多くのランプ表面積を与える。
【００３５】
いくつかの実施例においては、一面内の脚に波形状を加え、他面内の脚を直線状に加えることが望ましいこともある。これは、一面内に増加表面積を許し、他面をいぜんとして平坦表面にする。一面内に脚を平坦に維持することは、ランプのヒートシンクをすべき良好な表面を与えるために望ましい。図２５を参照すれば、蛍光ランプ部分９００の底面図が示され、一面内の脚９０４が波打たれ、別面内の脚９０６が直線状になされている。再び、これは、良好なヒートシンク表面を与ながら、増加表面を与える。
【産業上の利用可能性】
【００３６】
上述しかつ図１−２５に示す実施例およびそれらの変更例は、ＬＣＤディスプレイ等の広範囲な応用に用いられうる。１つの格別な応用は、一般にＬＣＤ投射ディスプレイ、特にヘッドアップ・ディスプレイ（ＨＵＤ）のそれである。ＨＵＤは広く多様な周囲光線状態において情報を明瞭に可視化するように、広範囲の輝度を一般に要求する。例えば、航空電子工学装置に用いられるＨＵＤは、ほぼ全体的な黒から日中の太陽光線に直接対向することによってつくられる極端な眩しさまでを範囲とする光線条件の下で、パイロットに情報を表示する必要がある。したがって、航空電子工学装置に用いられるＨＵＤは、高輝度イメージをＨＵＤに与えるべき能力を有していなければならない。十分な高輝度なしでは、ディスプレイの視覚者は高い周囲光線状態ではディスプレイから情報を容易に読み取ることができないこともある。図１−２５に示す実施例およびそれらの変更例は、航空電子工学投射ディスプレイに必要な小型で高輝度を与えるように、ＨＵＤに利用されうる。
【００３７】
ここに述べた実施例および例示は、本発明およびその格別な応用を最もよく説明し、それによって当業者が本発明を実用化するために表された。しかし、当業者であれば、上記記載および例示が図示および例示の目的のためにのみ表されていることを認識するであろう。多くの変更および変形が、添付特許請求の範囲の精神から逸脱せずに上記教示に照らして可能である。
【図面の簡単な説明】
【００３８】
【図１】第１実施例の蛍光ランプの斜視図である。
【図２】第１実施例の蛍光ランプの正面図である。
【図３】第１実施例の蛍光ランプの側面図である。
【図４】第１実施例の蛍光ランプの底面図である。
【図５】孔付きランプの横断面図である。
【図６】第２実施例の蛍光ランプの斜視図である。
【図７】第２実施例の蛍光ランプの正面図である。
【図８】第２実施例の蛍光ランプの側面図である。
【図９】第２実施例の蛍光ランプの底面図である。
【図１０】第３実施例の蛍光ランプの斜視図である。
【図１１】第３実施例の蛍光ランプの正面図である。
【図１２】第３実施例の蛍光ランプの側面図である。
【図１３】第３実施例の蛍光ランプの底面図である。
【図１４】第４実施例の蛍光ランプの斜視図である。
【図１５】第４実施例の蛍光ランプの正面図である。
【図１６】第４実施例の蛍光ランプの側面図である。
【図１７】第４実施例の蛍光ランプの底面図である。
【図１８】第５実施例の蛍光ランプの正面図である。
【図１９】第５実施例の蛍光ランプの第１側面図である。
【図２０】第５実施例の蛍光ランプの第２側面図である。
【図２１】長円ランプ部の横断面図である。
【図２２】スカラップ・ランプ部の横断面図である。
【図２３】種々の直径を有するランプ部分の側面図である。
【図２４】互いに隣接する脚が波形状のランプ部分の底面図である。
【図２５】一方の脚が波形状でかつ他方の脚が直線状であるランプ部分の底面図である。
【図１】
2007511868.tif 000003
【図２】
2007511868.tif 000004
【図３】
2007511868.tif 000005
【図４】
2007511868.tif 000006
【図５】
2007511868.tif 000007
【図６】
2007511868.tif 000008
【図７】
2007511868.tif 000009
【図８】
2007511868.tif 000010
【図９】
2007511868.tif 000011
【図１０】
2007511868.tif 000012
【図１１】
2007511868.tif 000013
【図１２】
2007511868.tif 000014
【図１３】
2007511868.tif 000015
【図１４】
2007511868.tif 000016
【図１５】
2007511868.tif 000017
【図１６】
2007511868.tif 000018
【図１７】
2007511868.tif 000019
【図１８】
2007511868.tif 000020
【図１９】
2007511868.tif 000021
【図２０】
2007511868.tif 000022
【図２１】
2007511868.tif 000023
【図２２】
2007511868.tif 000024
【図２３】
2007511868.tif 000025
【図２４】
2007511868.tif 000026
【図２５】
2007511868.tif 000027
【手続補正書】
【提出日】平成18年9月12日(2006.9.12)
【手続補正１】
【補正対象書類名】特許請求の範囲
【補正対象項目名】全文
【補正方法】変更
【補正の内容】
【特許請求の範囲】
【請求項１】
第１の複数本の脚（１０２）と、第１の複数の湾曲部（１０４）と、第２の複数本の脚（１０２）と、第２の複数の湾曲部（１０４）とを備える管状蛍光ランプであって、
前記第１の複数の湾曲部（１０４）の各々が、前記第１の複数本の脚（１０２）の１対の間に配置されており、前記第１の複数本の脚（１０２）と前記第１の複数の湾曲部（１０４）とが、前記第１の複数本の脚（１０２）のうち少なくとも３本の繰り返し連続する脚（１０２）が第１面内に存在するようにして配置されており、
前記第２の複数の湾曲部（１０４）の各々が、前記第２の複数本の脚（１０２）の１対の間に配置されており、前記第２の複数本の脚（１０２）と前記第２の複数の湾曲部（１０４）とが、前記第２の複数本の脚（１０２）のうち少なくとも３本の繰り返し連続する脚（１０２）が第２面内に存在するようにして配置されており、前記第２面は、前記第１面と異なる面であり且つ前記第１面と実質的に平行な面であり、前記第１の複数本の脚（１０２）は、前記第２の複数本の脚（１０２）と交互配列となり、それによって蛍光ランプの第１側に沿った連続ランプ表面を形成しており、該第１側は前記第１面と実質的に平行である、
管状蛍光ランプ。
【請求項２】
第１面内の第１の複数本の脚（１０２）と、第２面内の第２の複数本の脚（１０２）と、複数の湾曲部（１０４）とを備える管状蛍光ランプであって、
前記複数の湾曲部（１０４）の各々は、前記第１の複数本の脚（１０２）における脚と前記第２の複数本の脚（１０２）における脚との間に配置されており、前記第１の複数本の脚と前記第２の複数本の脚（１０２）と前記複数の湾曲部（１０４）とは、繰り返し連続する脚（１０２）が前記第１面と前記第２面との間で交互に並ぶようにして配置されており、前記第１面は前記第２面と実質的に平行であり、前記第１の複数本の脚（１０２）と前記第２の複数本の脚（１０２）とは、互いに離間され且つ蛍光ランプの第１側にて連続するランプ表面を与えており、該第１側は前記第１面と実質的に平行である、
管状蛍光ランプ。
【請求項３】
第１の複数本の脚（１０２）と、第１の複数の湾曲部（１０４）と、第２の複数本の脚（１０２）と、第２の複数の湾曲部（１０４）と、を備える管状蛍光ランプであって、
前記第１の複数の湾曲部（１０４）の各々が、前記第１の複数本の脚（１０２）の１対の間に配置されており、前記第１の複数本の脚（１０２）と前記第１の複数の湾曲部（１０４）とが、前記第１の複数本の脚（１０２）のうち少なくとも３本の繰り返し連続する脚（１０２）が第１曲面内に存在するようにして配置されており、
前記第２の複数の湾曲部（１０４）の各々が、前記第２の複数本の脚（１０２）の１対の間に配置されており、前記第２の複数本の脚（１０２）と前記第２の複数の湾曲部（１０４）とが、前記第２の複数本の脚（１０２）のうち少なくとも３本の繰り返し連続する脚（１０２）が第２曲面内に存在するようにして配置されており、前記第２曲面は、前記第１曲面と異なる面であり且つ前記第１曲面と実質的に平行な面であり、前記第１曲面内における前記第１の複数本の脚（１０２）は、前記第２曲面内における前記第２の複数本の脚（１０２）と交互配列となり、それによって蛍光ランプの第１側に沿った連続ランプ表面を形成している、
管状蛍光ランプ。